(57)【要約】【課題】ネットワーク機能を有する記録再生装置を用いてコンテンツ共有を行う際に、ユーザが一画面で複数のコンテンツの内容や転送の進捗状況、コンテンツの送信／受信、コンテンツの転送終了までの時間を把握出来るように表示することで、特にコンテンツの受信時において、待ち時間に別のコンテンツを視聴し、コンテンツの受信が終了すると、すぐに受信したコンテンツを視聴することができ、コンテンツ共有の利便性を向上させる。【解決手段】複数のコンテンツの一覧表示中にコンテンツのサムネイル、転送状況を示すプログレスバー、コンテンツ情報（例えば、コンテンツのタイトルやファイルサイズ、再生時間、コンテンツが当該機器から見て送信状態か受信状態か、転送を行うネットワーク上の転送速度、転送に必要な残り時間、転送経過時間、保存されている機器名）を示す。【選択図】図３
2009206859.tif 000002
【特許請求の範囲】
【請求項１】
複数のコンテンツを記録再生する記録再生手段と、
ネットワーク接続手段と、
表示手段と、
前記表示手段を制御する制御手段を有し、
前記制御手段は、
前記記録再生手段を記録再生制御するためのＧＵＩを生成して表示制御し、
前記コンテンツを記録再生するための前記複数のコンテンツの一覧を表示するためのＧＵＩを生成して表示制御し、
前記コンテンツを前記記録再生手段を制御して再生表示するよう制御し、
前記ネットワーク接続手段を経由して、他の機器からのコンテンツの受信と記録を制御し、また、他の機器へのコンテンツの送信を制御する
記録再生装置において、
前記制御手段は、複数のコンテンツの一覧表示とともに、各コンテンツを他の機器へ送信、または受信している状態を表示制御する転送状況表示を行うことを特徴とする記録再生装置。
【請求項２】
前記転送状況表示は、前記複数のコンテンツのうち、転送中のコンテンツの送信及び受信を区別して、送信または受信の状況を表示することを特徴とする請求項１に記載の記録再生装置。
【請求項３】
前記転送状況表示は、前記複数のコンテンツのうち、転送中のコンテンツの転送の進捗状況をプログレスバーにて表示することを特徴とする請求項１に記載の記録再生装置。
【請求項４】
前記プログレスバーは、前記複数のコンテンツのうち、転送中のコンテンツの送信または受信に応じて表示形態または表示色を変えることを特徴とする請求項３に記載の記録再生装置。
【請求項５】
前記転送状況表示は、前記複数のコンテンツのうち、転送中のコンテンツの転送の進捗状況を百分率にて表示することを特徴とする請求項１に記載の記録再生装置。
【請求項６】
前記転送状況表示は、前記複数のコンテンツのうち、転送中のコンテンツのサムネイル表示領域の枠を太線で表示することを特徴とする請求項１に記載の記録再生装置。
【請求項７】
前記転送状況表示は、前記複数のコンテンツのうち、転送中のコンテンツのプログレスバー表示領域の枠を太線で表示することを特徴とする請求項１に記載の記録再生装置。
【請求項８】
前記転送状況表示は、前記複数のコンテンツのうち、転送中のコンテンツのコンテンツ情報表示領域の枠を太線で表示することを特徴とする請求項１に記載の記録再生装置。
【請求項９】
前記表示領域の枠の太線表示は、前記複数のコンテンツのうち、転送中のコンテンツの送信または受信に応じて、太線の表示形態または表示色を変えることを特徴とする請求項６ないし請求項８のいずれかに記載の記録再生装置。
【請求項１０】
前記複数のコンテンツの一覧表示は、各コンテンツを保存している機器名を表示することを特徴とする請求項１に記載の記録再生装置。
【請求項１１】
前記複数のコンテンツの一覧表示は、各コンテンツの転送残り時間を表示することを特徴とする請求項１に記載の記録再生装置。
【請求項１２】
複数のコンテンツを記録再生する記録再生手段と、
ネットワーク接続手段と、
表示手段と、
前記表示手段を制御する制御手段と、
前記記録再生手段を記録再生制御するためのＧＵＩを生成するグラフィカルユーザインタフェース生成部とを備えた記録再生装置において、
前記制御手段は、前記ネットワーク接続手段を経由して、他の機器からの複数のコンテンツの受信と記録及び他の機器への複数のコンテンツの送信を制御し、
前記グラフィカルユーザインタフェース生成部は、サムネイル処理部とコンテンツ情報処理部とプログレスバー処理部と表示処理部とを備えており、
前記サムネイル処理部は前記複数のコンテンツに対応した複数のサムネイルを作成する処理を行い、
前記コンテンツ情報処理部は前記複数のコンテンツのコンテンツ情報を抽出する処理を行い、
前記プログレスバー処理部は前記複数のコンテンツの転送状況を示すプログレスバーを作成する処理を行い、
前記表示処理部は、前記サムネイル処理部で作成した複数のサムネイルと、前記コンテンツ情報処理部で抽出した複数のコンテンツ情報と、前記プログレスバー処理部で作成した複数のプログレスバーとを対応させて複数のコンテンツの一覧表示と転送状況表示を行うことを特徴とする記録再生装置。
【発明の詳細な説明】
【技術分野】
【０００１】
本発明は、ネットワーク機能を有し、デジタルデータの共有を行う記録再生装置に関し、特に、複数のコンテンツの一覧表示と転送状況表示を行う記録再生装置に関する。
【背景技術】
【０００２】
本技術分野の背景技術として、例えば、特許文献１、特許文献２に記載の技術が知られている。
【０００３】
特許文献１には、「一のコンテンツサーバが保持するコンテンツを、他のコンテンツサーバに属するユーザが迅速に入手できるようにする。」という課題に対して、「コンテンツを保存してユーザに対してコンテンツを出力するとともにユーザ宛のメッセージを中継するサーバ装置が、ユーザ宛のメッセージから、コンテンツを特定するためのコンテンツ特定情報を抽出する工程と、抽出されたコンテンツ特定情報が示すコンテンツが保存されていない場合には、そのコンテンツを保有するサーバ装置からコンテンツを受信する工程とを含む」という解決手段を用いることが記載されている。
【０００４】
特許文献２には、「情報受信装置とストレージデバイスの間で実行するダウンロード動作に関してユーザが進捗状況を把握できるようにする。」という課題に対して、「ダウンロード動作中に情報受信装置は、逐次ストレージデバイス側に記録データの進行位置情報（例えば曲の先頭をゼロとした時間位置情報）を知らせるように要求し、それに応じて送られてきた進行位置情報から、実際の記録動作の進捗状況を把握して進捗情報データを生成する。そしてその進捗状況データを表示に供するようにする。これによってユーザに対してダウンロード記録動作の進捗状況を適切に伝える。」という解決手段を用いることが記載されている。
【特許文献１】特開２００３−３４５７２６号公報
【特許文献２】特開２０００−３０３６６号公報
【発明の開示】
【発明が解決しようとする課題】
【０００５】
パーソナルコンピュータ、ＡＶ機器、情報家電機器など、様々な記録再生機能を有する機器が普及し、コンテンツを保有しているユーザが増加している。また、インターネットなどのネットワークインフラも整備され、ネットワークへ接続可能な機器を利用し、コンテンツを友人や家族と共有するユーザも増加している。
【０００６】
従来では、大量のコンテンツを共有する場合、ユーザはネットワークに接続された他の機器にコンテンツの送信を行う前にコンテンツの選別を行う、もしくはネットワークに接続された他の機器から全てのコンテンツを受信した後、コンテンツの選別を行う必要があった。例えば、大量の写真を共有する場合、全ての写真が綺麗に撮れているとは限らない。この時、綺麗な写真を選別してから送信を行うか、全ての写真を受信した後、綺麗な写真を選別する必要がある。このため、後者の場合は、特に、コンテンツの数やデータ量が増加するほど、コンテンツを選別する手間や転送にかかる時間が増加し、コンテンツ共有の利便性が悪くなっていた。
【０００７】
また、従来では、一画面に一つのコンテンツの転送状況を表示するため、大量のコンテンツを共有する場合、ユーザが複数のコンテンツ転送の進捗状況を把握するためには、画面を切り替える必要があるため、コンテンツ共有の利便性が悪くなっていた。
【０００８】
上記特許文献１では、コンテンツを迅速に共有するため、電子メールや電子掲示板を用いてコンテンツＩＤを埋め込んだメッセージを送受信し、受信したユーザはメッセージに埋め込まれたコンテンツＩＤを抽出し、コンテンツを閲覧する。コンテンツＩＤでは、コンテンツのサムネイルなどの視覚情報が得られず、コンテンツの受信前に具体的なコンテンツの内容をユーザに知らせることが考慮されていない。
【０００９】
上記特許文献２では、コンテンツの受信の進捗状況をユーザに伝えるため、一画面につき１つのコンテンツのサムネイル、進捗状況を示すプログレスバー、コンテンツのテキスト情報を示している。特許文献２では、複数のコンテンツ転送の進捗状況をユーザに知らせることが考慮されていない。
【００１０】
本発明は、上記の点を鑑みてなされたものであり、ネットワーク機能を有する記録再生装置を用いたコンテンツ共有の利便性を向上することを目的とする。
【課題を解決するための手段】
【００１１】
上記目的を達成するために、本発明の記録再生装置は、複数のコンテンツを記録再生する記録再生手段と、ネットワーク接続手段と、表示手段と、前記表示手段を制御する制御手段を有し、前記制御手段は、前記記録再生手段を記録再生制御するためのＧＵＩを生成して表示制御し、前記コンテンツを記録再生するための前記複数のコンテンツの一覧を表示するためのＧＵＩを生成して表示制御し、前記コンテンツを前記記録再生手段を制御して再生表示するよう制御し、前記ネットワーク接続手段を経由して、他の機器からのコンテンツの受信と記録を制御し、また、他の機器へのコンテンツの送信を制御する記録再生装置において、前記制御手段は、複数のコンテンツの一覧表示とともに、各コンテンツを他の機器へ送信、または受信している状態を表示制御する転送状況表示を行うことを特徴とする。
【発明の効果】
【００１２】
本発明による記録再生装置によれば、コンテンツ共有の利便性が向上する。例えば、次の様な利便性向上の効果を奏する。
【００１３】
ユーザは、一覧表示されたコンテンツを閲覧して、送信もしくは受信するコンテンツを選択することが出来る。そのため、あらかじめコンテンツを選別する手間を省くことができ、コンテンツ共有の利便性が向上する。
【００１４】
さらに、ユーザが所望しているコンテンツのみを転送することで、コンテンツの転送時間を短縮することができ、コンテンツ共有の利便性が向上する。
【００１５】
また、コンテンツ一覧表示中にコンテンツ転送の進捗状況を表示することで、ユーザは複数のコンテンツ転送の進捗状況を一画面で把握することができ、画面を切り替えてコンテンツ転送の進捗状況を確認する手間を省くことができる。さらに、コンテンツ転送が終了するまでの時間を一画面で把握することが出来る。そのため、特にコンテンの受信時において、待ち時間に別のコンテンツを視聴し、コンテンツの受信が終了すると、すぐに受信したコンテンツを視聴することができ、コンテンツ共有の利便性が向上する。
【発明を実施するための最良の形態】
【００１６】
以下に、本発明の実施例を説明する。
【実施例１】
【００１７】
図１は、本実施例による記録再生装置のハードウェア構成例を示す図であり、デジタル放送を受信して記録媒体に記録し、また記録したデータを再生し、再生出力を得ることができ、また、ネットワークを介して、他の機器から受信したデータを記録媒体に記録し、さらに記録したデータ他の機器へ送信することができる記録再生装置を示している。
【００１８】
図１において、１００は記録再生装置、１０１はアンテナからの受信波を入力するアンテナ入力端子、１０２は他の機器からの圧縮されたデジタル映像信号、デジタル音声信号を入力するためのデジタル入力端子、１０３はアナログ映像信号を入力するためのアナログ映像入力端子、１０４はアナログ音声信号を入力するためのアナログ音声入力端子、１０５及び１０６はアナログ信号をデジタル信号に変換するアナログ／デジタル（Ａ／Ｄ）変換回路、１０７は復調回路、１０８は復調したデジタル信号を音声、映像、その他のデータに分離する分離回路、１０９はデジタル化された映像信号及び音声信号を圧縮する圧縮回路、１１０は他の機器とネットワーク接続するためのネットワーク入出力端子、１１１はネットワーク系信号処理回路、１１２は記録系信号処理回路、１１３は記録するデータを暗号化するための暗号化回路、１１４は記録媒体のドライブ機能を含めた記録再生系、１１５は記録媒体、１１６は記録媒体上に暗号化され記録されたデータを復号するための復号化回路、１１７は再生系信号処理回路、１１８は切替回路、１１９は分離回路、１２０は映像復号回路、１２１はデジタル／アナログ(Ｄ／Ａ)変換回路、１２２はアナログ映像出力端子、１２３は音声復号回路、１２４はＤ／Ａ変換回路、１２５はアナログ音声出力端子、１２６はＴＶセット、１２７はユーザインタフェース、１２８は制御部、１２９はシステムバス、１３０はグラフィカルユーザインタフェース（ＧＵＩ：Graphical
User Interface）生成部、１３１は加算回路、１３２はデジタル映像出力端子、１３３はデジタル音声出力端子である。
【００１９】
記録時においては、デジタル放送などにより放送局から送信され、本記録再生装置で受信された信号が、復調回路１０７において所定の方式により復調された後、記録系信号処理回路１１２においてタイミング調整用のデータ付加や入力された受信信号を一定量ためてから次の処理ブロックへ転送するための処理（バッファリング）などの必要な信号処理が施されて、暗号化回路１１３にて暗号化された後、記録再生系１１４により記録媒体１１５へ記録される。
【００２０】
また、デジタル入力端子１０２より入力されたコンテンツは、記録系信号処理回路１１２においてタイミング調整用のデータ付加やバッファリングなどの必要な信号処理が施されて、暗号化回路１１３にて暗号化された後、記録再生系１１４により記録媒体１１５へ記録される。コンテンツとは、動画や静止画、音声、文章のデジタルデータのことである。
【００２１】
また、アナログ映像入力端子１０３より入力されたアナログ映像信号と、アナログ音声入力端子１０４より入力されたアナログ音声信号は、圧縮回路１０９によって圧縮処理がなされ、記録系信号処理回路１１２においてタイミング調整用のデータ付加やバッファリングなどの必要な信号処理が施されて、暗号化回路１１３にて暗号化された後、記録再生系１１４により記録媒体１１５へ記録される。
【００２２】
ネットワークに接続された他の機器からのコンテンツ受信時し、記録再生装置１００に記録する場合においては、ネットワーク端子１１０より入力されたコンテンツは、ネットワーク系信号処理回路１１１によって所定の方式で、デジタル映像信号とデジタル音声信号が取り出され、記録系信号処理回路１１２においてタイミング調整用のデータ付加やバッファリングなどの必要な信号処理が施されて、暗号化回路１１３にて暗号化された後、記録再生系１１４により記録媒体１１５へ記録される。
【００２３】
記録再生装置１００に記録されたコンテンツを再生する場合においては、ユーザの指示に応じて記録媒体１１５から記録再生系１１４を介して読み出された暗号化されたデジタルデータは、復号化回路１１６にて復号され、再生系信号処理回路１１７において所定の再生に必要なバッファリングなどの信号処理が施され、切り替え回路１１８を介して分離回路１１９に送られる。映像復号回路１２０では所定の映像復号処理が施されて、デジタル映像出力端子１３２、もしくはＤ／Ａ変換回路１２１においてデジタル信号からアナログ信号への変換が成された後、アナログ映像出力端子１２２を介してＴＶセット１２６のモニタ画面へ表示される。
【００２４】
ネットワークに接続された他の機器からのコンテンツを受信して、記録再生装置１００に記録せず、そのまま再生する場合においては、ネットワーク入出力端子１１０より入力されたデジタルデータは、ネットワーク系信号処理回路１１１によって所定の方式でデジタル映像信号とデジタル音声信号が取り出され、再生系信号処理回路１１７にておいて所定の再生に必要なバッファリングなどの信号処理が施され、切替回路１１８を介して分離回路１１９に送られる。映像復号回路１２０では所定の映像復号処理が施されて、デジタル映像出力端子１３２、もしくはＤ／Ａ変換回路１２１においてデジタル信号からアナログ信号への変換が成された後、アナログ映像出力端子１２２を介してＴＶセット１２６のモニタ画面へ表示される。
【００２５】
さらに、音声復号回路１２３では所定の音声復号処理が施されて、デジタル音声出力端子１３３、もしくはＤ／Ａ変換回路１２４においてデジタル信号からアナログ信号への変換が成された後、アナログ音声出力端子１２５を介してＴＶセット１２６の音声出力装置により出力される。
【００２６】
ネットワークに接続された他の機器へのコンテンツ送信する場合においては、ユーザの指示に応じて記録媒体１１５から記録再生系１１４を介して読み出された暗号化されたデジタルデータは、復号化回路１１６にて復号され、ネットワーク系信号処理回路１１１において所定の方式にのっとった形式で、ネットワーク上での転送に必要な信号処理が施され、ネットワーク入出力端子１１０を介して、他の機器へとデジタルデータが送信される。
【００２７】
制御部１２８は、システムバス１２９を介して記録再生装置１００の各部を制御するものであり、またユーザインタフェース１２７を介して入力されたユーザの指示入力に基づいた動作を行うように、装置全体を制御する。なお、ユーザへの指示入力要求、あるいは必要なユーザへのグラフィカルユーザインタフェース（ＧＵＩ）表示は、グラフィカルユーザインタフェース生成部１３０で用意され、加算回路１３１において、映像復号回路１２０の出力と適当なレベルで加算されて、最終的にＴＶセット１２６のモニタ画面に出力されることにより実現する。
【００２８】
図２は、コンテンツを共有するためのネットワーク接続例を示す図である。ユーザＡ宅２０１には、１台もしくは複数台の記録再生装置１００−１〜１００−ｍがあり、それぞれの記録再生装置はＬＡＮ２０３によって接続されている。ユーザＢ宅２０４には、１台もしくは複数台の記録再生装置１００−ｎ〜１００−ｚがあり、それぞれＬＡＮ２０５によって接続されている。ユーザＡ宅２０１とユーザＢ宅２０４はネットワーク２０６によって接続されており、ネットワーク２０６上にはサーバ２０２がある。
【００２９】
コンテンツを共有するにあたって、サーバ２０２は、ネットワーク２０６上もしくは、いずれかのユーザ宅に少なくとも一台あれば良い。また、記録再生装置１００−１〜１００−ｍ、１００−ｎ〜１００−ｚの内、いずれかの記録再生装置がサーバ機能を有していても良い。図２はコンテンツを共有するためのネットワーク接続例を示す図であり、ユーザ数や記録再生装置１００、サーバ２０２の数や配置を限定するものではない。
【００３０】
図３は、コンテンツ転送中のＧＵＩ（Graphical User Interface）の表示例を示す図である。３００はＧＵＩの枠、３０１、３０４はコンテンツのサムネイル、３０２、３０５はコンテンツのプログレスバー、３０３、３０６はコンテンツのコンテンツ情報である。コンテンツのサムネイル、プログレスバー、コンテンツ情報の詳細な説明は後述する。
【００３１】
コンテンツ共有を行う際には、複数のコンテンツのサムネイル、プログレスバー、コンテンツ情報をＧＵＩに表示する。これにより、ユーザは、どのコンテンツが送信もしくは受信しており、その転送状況がどの程度なのかを、ユーザは一画面で把握することができ、コンテンツ共有の利便性が向上する。
【００３２】
図３は、コンテンツ転送中のＧＵＩの表示例を示す図であり、サムネイルやプログレスバー、コンテンツ情報の表示領域の配置や線の表示形態または表示色、線の太さ、表示するコンテンツの数を限定するものではない。
【００３３】
図４は、グラフィカルユーザインタフェース生成部１３０の詳細である。本発明のグラフィカルユーザインタフェース生成部１３０は、サムネイル処理部４０１、コンテンツ情報処理部４０２、プログレスバー処理部４０３、表示処理部４０４を備えている。各処理部の動作の詳細は後述する。
【００３４】
図５は、サムネイル処理部４０１の動作のフローチャートである。サムネイル処理部４０１では、記録媒体１１５から記録再生系１１４を介して読み出されたコンテンツは（ステップＳ５０１）、復号化回路１１６にて復号され（ステップＳ５０２）、再生系信号処理回路１１７において所定の再生に必要なバッファリングなどの信号処理が施され（ステップＳ５０３）、その後コンテンツに応じたサムネイルを作成する（ステップＳ５０４）。
【００３５】
なお、上記説明では、記録媒体１１５から記録再生系１１４を介して読み出されたコンテンツに対してサムネイルを作成する例が示されているが、ネットワークに接続された他の機器からのコンテンツを受信して再生する場合においても、ネットワーク入出力端子１１０より入力されたデジタルデータからネットワーク系信号処理回路１１１によって所定の方式でデジタル映像信号とデジタル音声信号を取り出し、グラフィカルユーザインタフェース生成部１３０のサムネイル処理部４０１でコンテンツに応じたサムネイルを作成することができる。
【００３６】
サムネイル３０１、３０４（図３）とは、そのコンテンツの特徴を示す静止画もしくは動画である。静止画であれば、その静止画の表示サイズを縮小して表示したもの、動画であれば、動画の一部を切り出した静止画の表示サイズを縮小して表示したもの、もしくはその動画の表示サイズを縮小して再生したものである。音声などの画像情報を持たないコンテンツであれば、そのコンテンツの特徴を示すアイコンを表示する。
【００３７】
また、転送を行っているコンテンツのサムネイル表示領域の枠を例えば、太線で表示する。図３の表示例では、サムネイル領域の枠を太線で囲っている。さらに、コンテンツの送信／受信に応じて太線の表示形態、あるいは表示色を変える。図３の表示例では、送信の場合は斜線、受信の場合は黒の太線を表示している。これにより、ユーザは複数のコンテンツの内容やコンテンツの送信／受信を一画面で把握することができる。そのため、コンテンツを一つ一つ確認する時間を省くことができ、コンテンツ共有の利便性が向上する。
【００３８】
図６は、コンテンツ情報処理部４０２の動作のフローチャートである。コンテンツ情報処理部４０２では、記録媒体１１５から記録再生系１１４を介して読み出されたコンテンツは（ステップＳ６０１）、復号化回路１１６にて復号され（ステップＳ６０２）、その後コンテンツがコンテンツ情報を保持している場合（ステップＳ６０３）、その情報を抽出する（ステップＳ６０４）。
【００３９】
なお、上記説明では、記録媒体１１５から記録再生系１１４を介して読み出されたコンテンツに対してコンテンツ情報を抽出する例が示されているが、ネットワークに接続された他の機器からのコンテンツを受信して再生する場合においても、ネットワーク入出力端子１１０より入力されたデジタルデータからネットワーク系信号処理回路１１１によって所定の方式でデジタル映像信号とデジタル音声信号を取り出し、グラフィカルユーザインタフェース生成部１３０のコンテンツ情報処理部４０２でコンテンツ情報を抽出することができる。
【００４０】
コンテンツ情報３０３、３０６（図３）とは、例えば、コンテンツのタイトルやファイルサイズ、再生時間、コンテンツが当該機器から見て送信状態か受信状態か、転送を行うネットワーク上の転送速度、転送に必要な残り時間、転送経過時間、保存されている機器名である。
【００４１】
コンテンツのタイトルとは、コンテンツのファイル名のことである。コンテンツのファイルサイズとは、保存されているコンテンツが記録媒体を占有するデータ量のことである。コンテンツの再生時間とは、コンテンツの再生開始から再生終了までの時間のことである。コンテンツの送信／受信とは、当該機器から見てコンテンツ転送が送信状態か受信状態かを示したものである。コンテンツの転送速度とは、１秒あたりに転送しているコンテンツのデータ量を示すものである。コンテンツの転送残り時間とは、残り時間が表示された時点からどれだけの時間が経過すれば転送が完了するのかを示すものである。コンテンツの転送経過時間とは、転送が開始されてから経過した時間である。保存されている機器名とは、コンテンツがどの機器に保存されているものなのかを示すものである。
【００４２】
また、前記のコンテンツ情報を表示することで、どんなタイトルでファイルサイズがいくつで再生時間が何分のコンテンツを、送信もしくは受信しており、転送速度や転送が完了するまでの時間、転送が開始されてから経過した時間、どの機器とコンテンツの転送を行っているのかを、ユーザに示す。
【００４３】
また、転送を行っているコンテンツのコンテンツ情報表示領域の枠を太線で表示する。図３の表示例では、コンテンツ情報領域の枠を太線で囲っている。さらに、コンテンツの送信／受信に応じて太線の表示形態または表示色を変える。図３の表示例では、送信の場合は斜線、受信の場合は黒の太線を表示している。これにより、ユーザは複数のコンテンツの詳細な情報を一画面で把握することができ、コンテンツ共有の利便性が向上する。
【００４４】
図７は、プログレスバー処理部４０３の動作のフローチャートである。プログレスバー処理部４０３では、コンテンツのファイルサイズを取得し（ステップＳ７０１）、転送済みのファイルサイズを取得する（ステップＳ７０２）。その後、コンテンツ転送の進捗状況を百分率で計算し（ステップＳ７０３）、プログレスバーの表示を更新する（ステップＳ７０４）。転送が終了するまでプログレスバーの表示の更新を繰り返す（ステップＳ７０５）。
【００４５】
なお、ネットワークに接続された他の機器からのコンテンツを受信して再生する場合においても、ネットワーク入出力端子１１０より入力されたデジタルデータからネットワーク系信号処理回路１１１によって所定の方式でデジタル映像信号とデジタル音声信号を取り出し、あるいは、ネットワークに接続された他の機器から受信したコンテンツ転送の進捗状況情報を抽出して、グラフィカルユーザインタフェース生成部１３０のプログレス情報処理部４０２でコンテンツ転送の進捗状況を示すプログレスバーの表示を行うことができる。
【００４６】
プログレスバー３０２、３０５（図３）とは、コンテンツ転送の進捗状況を示すために、任意の図形の内部の表示形態または表示色を、コンテンツのファイルサイズを基準とした時の転送が完了しているファイルサイズの割合に合わせて変化させるものである。図３の表示例では、横長の長方形で左端から割合に応じて白色から、送信の場合は斜線に、受信の場合は黒色に変化させる。また、転送済みのファイルサイズの割合を百分率で表示する。
【００４７】
また、転送を行っているコンテンツのプログレスバー表示領域の枠を太線で表示する。図３の表示例では、プログレスバー領域の枠を太線で囲っている。さらに、コンテンツの送信／受信に応じて太線の表示形態または表示色を変える。図３の表示例では、送信の場合は斜線、受信の場合は黒の太線を表示している。これにより、ユーザは複数のコンテンツ転送の進捗状況を一画面で把握することができ、コンテンツ共有の利便性が向上する。
【００４８】
図８は、表示処理部４０４の動作のフローチャートである。表示処理部４０４では、表示するコンテンツがある場合（ステップＳ８０１）、サムネイル処理部４０１（図４）でサムネイルの作成処理を行い（ステップＳ４０１）、コンテンツ情報処理部４０２（図４）でコンテンツ情報の抽出を行い（ステップＳ４０２）、転送中のコンテンツがある場合（ステップＳ８０２）、プログレスバー処理部４０３（図４）でプログレスバーの表示の更新処理を行う（ステップＳ４０３）。その後、コンテンツのサムネイル３０１、３０４（図３）、コンテンツのコンテンツ情報３０３、３０６（図３）、コンテンツのプログレスバー３０２、３０５（図３）を表示する（ステップＳ８０３）。
【００４９】
表示するコンテンツが無くなるか（ステップＳ８０４）、表示装置にコンテンツを表示する領域が無くなるまで（ステップＳ８０５）表示処理を繰り返す。これにより、複数のコンテンツの一覧表示中にコンテンツのサムネイル、転送状況を示すプログレスバー、コンテンツ情報を表示する。そのため、ユーザは複数のコンテンツ転送の進捗状況を一画面で把握することができ、画面を切り替えてコンテンツ転送の進捗状況を確認する必要がなくなり、コンテンツ共有の利便性が向上する。
【００５０】
図９は、転送中のコンテンツのみをＧＵＩに表示した場合の表示例である。９００はＧＵＩの枠、９０１はコンテンツのサムネイル、９０２はコンテンツのプログレスバー、９０３はコンテンツのコンテンツ情報である。ＧＵＩの枠９００は、図３のＧＵＩの枠３００、コンテンツのサムネイル９０１は、図３のコンテンツのサムネイル３０１、コンテンツのプログレスバー９０２は、図３のコンテンツのプログレスバー３０２、コンテンツのコンテンツ情報９０３は図３のコンテンツのコンテンツ情報３０３に相当する。
【００５１】
転送中のコンテンツのみを一覧表示することで、ユーザはコンテンツ転送が終了するまでの時間を一画面で把握することが出来る。そのため、特にコンテンツの受信時において、待ち時間に別のコンテンツを視聴し、コンテンツの受信が終了すると、すぐに受信したコンテンツを視聴することができ、コンテンツ共有の利便性が向上する。
【図面の簡単な説明】
【００５２】
【図１】図１は、本実施例による記録再生装置のハードウェア構成例である。
【図２】図２は、コンテンツを共有するためのネットワーク接続例である。
【図３】図３は、コンテンツ転送中のＧＵＩ表示例である。
【図４】図４は、グラフィカルユーザインタフェース生成部の詳細である。
【図５】図５は、サムネイル処理部のフローチャートである。
【図６】図６は、コンテンツ情報処理部のフローチャートである。
【図７】図７は、表示処理部のフローチャートである。
【図８】図８は、プログレスバー処理部のフローチャートである。
【図９】図９は、転送中のコンテンツのみを表示した場合のＧＵＩ表示例である。
【符号の説明】
【００５３】
１００    記録再生装置
１０１    アンテナ入力端子
１０２    デジタル入力端子
１０３    アナログ映像入力端子
１０４    アナログ音声入力端子
１０５    Ａ／Ｄ変換回路
１０６    Ａ／Ｄ変換回路
１０７    復調回路
１０８    分離回路
１０９    圧縮回路
１１０    ネットワーク入出力端子
１１１    ネットワーク系信号処理回路
１１２    記録系信号処理回路
１１３    暗号化回路
１１４    記録再生系
１１５    記録媒体
１１６    復号化回路
１１７    再生系信号処理回路
１１８    切替回路
１１９    分離回路
１２０    映像復号回路
１２１    Ｄ／Ａ変換回路
１２４    Ｄ／Ａ変換回路
１２２    アナログ映像出力端子
１２３    音声復号回路
１２５    アナログ音声出力端子
１２６    ＴＶセット
１２７    ユーザインタフェース
１２８    制御部
１２９    システムバス
１３０    グラフィカルユーザインタフェース生成部
１３１    加算回路
１３２    デジタル映像出力端子
１３３    デジタル音声出力端子
２０１    ユーザＡ宅
２０２    サーバ
２０３    ＬＡＮ
２０４    ユーザＢ宅
２０５    ＬＡＮ
２０６    ネットワーク
３００    ＧＵＩの枠
３０１    サムネイル
３０２    プログレスバー
３０３    コンテンツ情報
３０４    サムネイル
３０５    プログレスバー
３０６    コンテンツ情報
４０１    サムネイル処理部
４０２    コンテンツ情報処理部
４０３    プログレスバー処理部
４０４    表示処理部
９００    ＧＵＩの枠
９０１    サムネイル
９０２    プログレスバー
９０３    コンテンツ情報
【図１】
2009206859.tif 000003
【図２】
2009206859.tif 000004
【図３】
2009206859.tif 000005
【図４】
2009206859.tif 000006
【図５】
2009206859.tif 000007
【図６】
2009206859.tif 000008
【図７】
2009206859.tif 000009
【図８】
2009206859.tif 000010
【図９】
2009206859.tif 000011